(57)【要約】  電子機器に装着した状態で電子機器の保護を図った上で電子機器に対する操作に関する利便性の向上を図る。  そのため、電子機器カバーにおいては、電子機器の表示面の少なくとも一部を覆う覆い部を備え、前記覆い部は、操作位置を特定し易くするための操作位置特定凹部と、前記操作位置特定凹部以外の部分とされたベース部と、を有し、前記操作位置特定凹部の周縁部の少なくとも一部が前記ベース部の厚みよりも薄くされ特定の機能を実行するための接触操作がなされる被操作部とされる。  このような電子機器カバーを電子機器に装着することで、電子機器の保護を図った上で電子機器に対する操作に関する利便性の向上が図られる。
2017169638.tif 000002
【特許請求の範囲】
【請求項１】
少なくとも一部が操作領域とされた表示面を有する電子機器における前記表示面の少なくとも一部を覆う覆い部を備え、
前記覆い部は、前記操作領域における操作位置を特定するための操作位置特定凹部と、前記操作位置特定凹部以外の部分とされたベース部とを有し、
前記操作位置特定凹部の周縁部の少なくとも一部が前記ベース部の厚みよりも薄くされ前記電子機器に特定の機能を実行させるための接触操作がなされる被操作部とされた
電子機器カバー。
【請求項２】
前記電子機器を保持する保持部と、
前記保持部と前記覆い部とを連結する連結部とを備えた
請求項１に記載の電子機器カバー。
【請求項３】
前記連結部は屈曲が可能とされた
請求項２に記載の電子機器カバー。
【請求項４】
前記覆い部が前記表示面の少なくとも一部を覆った状態を保持するためのロック部を備えた
請求項２に記載の電子機器カバー。
【請求項５】
前記被操作部は前記操作位置特定凹部の内側に近づくにつれて前記表示面側に変位する傾斜面を有し、前記傾斜面が被操作面として接触操作される
請求項１に記載の電子機器カバー
【請求項６】
前記被操作部には第１の機能を実行するために操作される第１被操作部と第２の機能を実行するために操作される第２被操作部とが設けられた
請求項１に記載の電子機器カバー。
【請求項７】
前記第２被操作部は前記第１被操作部を前記操作位置特定凹部の中央に対して略９０°回転させた位置に設けられた
請求項６に記載の電子機器カバー。
【請求項８】
前記操作位置特定凹部における前記周縁部の内側の部分は前記電子機器の前記操作領域に直接接触可能な貫通孔とされた
請求項１に記載の電子機器カバー。
【請求項９】
前記操作位置特定凹部は前記周縁部の内側の部分が前記周縁部より厚みの薄い平面部として設けられた
請求項１に記載の電子機器カバー。
【請求項１０】
前記ベース部には前記ベース部に対する基準位置として特定される少なくとも三つの基準位置特定部が設けられ、
前記基準位置の特定により前記覆い部の前記表示面に対する相対的な位置が決定される
請求項１に記載の電子機器カバー。
【請求項１１】
前記基準位置特定部は前記表示面における静電容量を変化させる材料で形成された
請求項１０に記載の電子機器カバー。
【請求項１２】
前記周縁部のうち前記操作位置特定凹部の中央部を挟んで反対側の部分がそれぞれ前記被操作部とされた
請求項１に記載の電子機器カバー。
【請求項１３】
前記周縁部の全ての部分が前記被操作部とされた
請求項１に記載の電子機器カバー。
【請求項１４】
操作方向が前記被操作面の傾斜方向とされた前記接触操作により前記特定の機能が実行される
請求項５に記載の電子機器カバー。
【請求項１５】
前記接触操作の操作方向に応じて前記表示面に表示された画像の切り替え機能が前記特定の機能として実行される
請求項１に記載の電子機器カバー。
【発明の詳細な説明】
【技術分野】
【０００１】
本技術は、電子機器カバーについての技術分野に関する。特に操作領域を有する表示面が設けられた電子機器に用いられる電子機器カバーに関する。
【先行技術文献】
【特許文献】
【０００２】
【特許文献１】特開２０１４−１９１５６０号公報
【背景技術】
【０００３】
携帯電話や携帯型の音楽プレイヤーなどの携帯用電子機器においては、液晶などによって構成された表示面上を指で操作することにより各種の機能の実行が可能なものが普及している。
このような電子機器は、操作を行うためのボタン等の操作部を削減（或いは排除）でき、表示面を大型化（広面積化）することができるため、表示面に表示される情報が見やすいという利点を有している。
また、車の運転中などにこのような電子機器を操作したいという要望がある。しかし、運転中に表示面を注視しながら電子機器の操作を行うことは大変危険である。更に、歩行中においても、ポケットや鞄の中に収納されている電子機器を手探りで操作したいという要望もある。
このような要望に応えるために、特許文献１では、視界外に置いた状態でも意図した操作（入力）を行うことが可能な電子機器（入力装置）が開示されている。
特許文献１に記載された電子機器では、表示面の上下左右の外周側にそれぞれ表示面ではない斜面とされた部分が入力部として設けられている。
【発明の概要】
【発明が解決しようとする課題】
【０００４】
ところで、落下等による電子機器（特に表示面）の破損や故障を防ぐために、保護カバーを装着して電子機器を使用することが多い。
ところが、このような保護カバーは、装着した状態において電子機器の表示面を覆うため、表示面の操作領域に対する操作性が低下する可能性がある。また、車の運転中や、ポケットや鞄に電子機器を入れた状態での歩行中等においても表示面を保護カバーで覆った状態において安全性を確保した上で操作領域に対する操作を行うことができれば便利である。
そこで、本技術電子機器カバーは、電子機器に装着した状態で電子機器の保護を図った上で電子機器に対する操作に関する利便性の向上を図ることを目的とする。
【課題を解決するための手段】
【０００５】
本技術に係る電子機器カバーは、少なくとも一部が操作領域とされた表示面を有する電子機器における前記表示面の少なくとも一部を覆う覆い部を備え、前記覆い部は、前記操作領域における操作位置を特定するための操作位置特定凹部と、前記操作位置特定凹部以外の部分とされたベース部とを有し、前記操作位置特定凹部の周縁部の少なくとも一部が前記ベース部の厚みよりも薄くされ前記電子機器に特定の機能を実行させるための接触操作がなされる被操作部とされている。
例えば、指先の触感を頼りに操作位置を探った場合などに、操作位置特定凹部によって操作する場所が特定されやすい。
また、被操作部の厚みは、ベース部の厚みよりも薄くされているため、特定の機能を実行するための被操作部の位置が特定しやすくされる。特に、被操作部が操作位置特定凹部の周縁部とされることで、被操作部の位置の特定が更に容易となる。【０００６】
上述した電子機器カバーにおいては、前記電子機器を保持する保持部と、前記保持部と前記覆い部とを連結する連結部とを備えてもよい。
これにより、連結部を介して覆い部が保持部に接続される。【０００７】
上述した電子機器カバーの前記連結部は屈曲が可能とされてもよい。
連結部が屈曲することにより、覆い部が保持部に対して閉じられた状態と開かれた状態を切り換えることができる。即ち、保持部が電子機器を保持した状態において、覆い部が電子機器の表示面を覆い特定の機能を実行可能な状態と、覆い部が表示面を覆わず特定の機能を実行できない状態とを切り換えることが可能となる。【０００８】
上述した電子機器カバーは、前記覆い部が前記表示面の少なくとも一部を覆った状態を保持するためのロック部を備えてもよい。
これにより、操作領域を有する表示面に対する覆い部の位置がずれにくくなる。【０００９】
上述した電子機器カバーの前記被操作部は前記操作位置特定凹部の内側に近づくにつれて前記表示面側に変位する傾斜面を有し、前記傾斜面が被操作面として接触操作されてもよい。
これにより、操作者が傾斜面に対する接触操作を行った場合に、操作位置の特定を容易にすることができる。【００１０】
上述した電子機器カバーの前記被操作部には第１の機能を実行するために操作される第１被操作部と第２の機能を実行するために操作される第２被操作部が設けられてもよい。
これにより、各被操作部に対するそれぞれの接触行うことにより少なくとも二つの異なる機能が実行される。【００１１】
上述した電子機器カバーの前記第２被操作部は前記第１被操作部を前記操作位置特定凹部の中央に対して略９０°回転させた位置に設けられてもよい。
これにより、触感に基づいて第１被操作部と第２被操作部の位置が特定しやすい。【００１２】
上述した電子機器カバーの前記操作位置特定凹部における前記周縁部の内側の部分は前記電子機器の前記操作領域に直接接触可能な貫通孔とされていてもよい。
これにより、周縁部における外周縁と内周縁の厚みの差が大きくなる。【００１３】
上述した電子機器カバーの前記操作位置特定凹部は前記周縁部の内側の部分が前記周縁部より厚みの薄い平面部として設けられてもよい。
即ち、被操作部に対する接触操作を行う際に表示面を直接触れないように構成される。【００１４】
上述した電子機器カバーの前記ベース部には前記ベース部に対する基準位置として特定される少なくとも三つの基準位置特定部が設けられ、前記基準位置の特定により前記覆い部の前記表示面に対する相対的な位置が決定されてもよい。
電子機器の表示面が基準位置特定部の接触を検知することにより、電子機器に対する電子機器カバーの装着が把握される。
また、表示面に対する覆い部の相対的な位置が把握される。即ち、表示面に対する被操作部としての周縁部の相対的な位置も把握される。【００１５】
上述した電子機器カバーの前記基準位置特定部は前記表示面における静電容量を変化させる材料で形成されてもよい。
これにより、電子機器の表示面として特にタッチパネル式の液晶が用いられた場合には、表示面に対する覆い部の相対的な位置の把握が容易とされる。【００１６】
上述した電子機器カバーの前記周縁部のうち前記操作位置特定凹部の中央部を挟んで反対側の部分がそれぞれ前記被操作部とされてもよい。
これにより、操作者は同一の操作方向によって複数の機能を使い分けることなどが可能となる。【００１７】
上述した電子機器カバーの前記周縁部の全ての部分が前記被操作部とされてもよい。
これにより、一つの操作位置特定凹部に対して複数の機能を割り当てることが可能となる。【００１８】
上述した電子機器カバーにおいては、操作方向が前記被操作面の傾斜方向とされた前記接触操作により前記特定の機能が実行されてもよい。
例えば、斜面を乗り越えるスワイプ操作などにより特定の機能が実行される。【００１９】
上述した電子機器カバーにおいては、前記接触操作の操作方向に応じて前記表示面に表示された画像の切り替え機能が前記特定の機能として実行されてもよい。
これにより、操作位置特定凹部における接触操作の操作方向と画像が送られる方向とを一致させることが可能となる。
【発明の効果】
【００２０】
本技術によれば、電子機器に装着した状態で電子機器の保護を図った上で電子機器に対する操作に関する利便性の向上を図ることができる。
尚、ここに記載された効果は必ずしも限定されるものではなく、本開示中に記載されたいずれかの効果であってもよい。
【図面の簡単な説明】
【００２１】
【図１】本技術の実施の形態の電子機器カバー及び電子機器の斜視図である。
【図２】電子機器に電子機器カバーを装着した状態で示す斜視図である。
【図３】電子機器に電子機器カバーを装着した状態で示す正面図である。
【図４】覆い部の断面図である。
【図５】開放状態を示す断面図である。
【図６】閉塞状態を示す断面図である。
【図７】操作位置特定凹部に対する接触操作を説明するための図である。
【図８】音楽再生アプリが起動された状態を示す電子機器及び電子機器カバーの正面図である。
【図９】音楽再生アプリが起動された状態を示す電子機器の正面図である。
【図１０】接触操作を行う様子を示した正面図である。
【図１１】別の接触操作を行う様子を示した正面図である。
【図１２】更に別の接触操作を行う様子を示した正面図である。
【図１３】電子機器カバーにおける上方側に配置された操作位置特定凹部を拡大して示す正面図である。
【図１４】操作位置特定凹部に対する接触操作の操作方向を説明するための図である。
【図１５】第２例における電子機器カバーの正面図である。
【図１６】第２例における操作位置特定凹部に対する接触操作の操作方向を説明するための図である。
【図１７】第３例における電子機器カバーの正面図である。
【図１８】第３例におけるアプリケーションが起動された状態を示す電子機器の正面図である。
【図１９】第３例における操作位置特定凹部に対する接触操作の操作方向を説明するための図である。
【図２０】基準位置特定部が設けられた電子機器カバーと電子機器を示す正面図である。
【図２１】基準位置特定部が設けられた電子機器カバーと電子機器の断面図である。
【図２２】位置補正に関する処理のフローチャートである。
【図２３】周縁部における変形例を示す断面図である。
【図２４】周縁部における別の変形例を示す断面図である。
【図２５】外周縁及び内周縁における変形例を示す正面図である。
【図２６】外周縁及び内周縁における別の変形例を示す正面図である。
【図２７】保護フィルムを貼付した状態で電子機器カバーが用いられる例を示す断面図である。
【図２８】保護フィルムとして電子機器カバーが用いられる例を示す断面図である。
【図２９】基準位置特定部が設けられた電子機器カバーの変形例を示す断面図である。
【図３０】土台部が取り付けられた電子機器カバーを示す斜視図である。
【発明を実施するための形態】
【００２２】
以下、実施の形態について添付図面を参照しながら次の順序で説明する。
＜１．電子機器カバー及び電子機器の構成＞
＜２．電子機器カバーの開閉動作＞
＜３．アプリケーション動作例＞
［３−１．第１例］
［３−２．第２例］
［３−３．第３例］
＜４．位置補正＞
［４−１．電子機器カバーの構成］
［４−２．電子機器の処理］
＜５．変形例＞
［５−１．周縁部における変形例］
［５−２．外周縁及び内周縁における変形例］
［５−３．その他の変形例］
＜６．まとめ＞
＜７．本技術＞
【００２３】
尚、以下の説明においては、請求項にいう電子機器としてスマートフォンを例に挙げる。
【００２４】
＜１．電子機器カバー及び電子機器の構成＞
本実施の形態に係る電子機器カバー１とスマートフォンとしての電子機器１００の構成を図１に示す。
電子機器１００は内部空間に演算処理装置やメモリ等の電子部品等が適宜配置された略立方体形状の本体部１００ａを有しており、本体部１００ａの一つの面上には、タッチパネルとされ各種の情報が表示される表示面１００ｂと、表示面１００ｂの近傍に各種の操作を行うための操作子１００ｃ，１００ｃ，１００ｃが設けられている。またそれ以外にも、電子機器１００には、充電用の端子や音声出力用の端子や電源釦などが適宜設けられている。
【００２５】
表示面１００ｂの少なくとも一部の領域は、操作者が指先等を触れることにより各種操作（フリック操作やスワイプ操作やタップ操作など）を行うことができる操作領域とされている。以降では、このような操作を「接触操作」と記載する。
接触操作は、表示面１００ｂを直に触れることによってなされる操作を指すのみならず、指先と表示面１００ｂの間に他のものを介在して行われる間接的な操作も含む。
具体的には、表示面１００ｂを覆うように電子機器１００に装着された後述する電子機器カバー１を介在して行うフリック操作なども接触操作とされる。
【００２６】
電子機器１００における表示面１００ｂが設けられた面は図１に示すように略長方形とされている。以降の説明においては、長方形とされた面の長手方向を「上下方向」と記載し、短手方向を「左右方向」と記載する。そして、各方向の一方向を示す場合には、「右方」、「左方」、「上方」、「下方」と記載する。また、表示面１００ｂが向く方向を「前方」と記載し、前方と逆の方向（即ち表示面１００ｂを閲覧する操作者の目線の方向）を「後方」と記載する。
【００２７】
電子機器カバー１は、電子機器１００を保持する保持部２と、電子機器１００の表示面１００ｂを覆うことが可能な略平板状の覆い部３と、保持部２と覆い部３とを連結する連結部４とを備えている。
【００２８】
保持部２は、略平板状に形成された底部２ａと、底部２ａの外周部から前方に突出された枠部２ｂとを備えている。枠部２ｂには一部に切り欠き部２ｃが形成されている。
底部２ａと枠部２ｂとで形成された空間は、電子機器１００の本体部１００ａが勘合される収納空間２ｄとされている。収納空間２ｄに電子機器１００の本体部１００ａが収納されることにより、電子機器１００は保持部２に保持される。
【００２９】
連結部４は、保持部２に対して覆い部３が開閉可能とされるための機構が設けられている。当該機構としては、例えばヒンジ機構などである。即ち、連結部４は屈曲が可能とされる。
連結部４の動きに応じて保持部２に対して覆い部３が閉じられることにより、保持部２に保持された電子機器１００の表示面１００ｂが覆い部３に覆われる（図２参照）。
逆に、連結部４の動きに応じて覆い部３が表示面１００ｂに覆われた状態が解除されることにより、表示面１００ｂが露出し、表示部１００ｂが開放されて表示面１００ｂに対する直接の接触操作が可能となる。
【００３０】
以降の説明においては、覆い部３が保持部２に対して閉じられた状態（図２に示す状態）を「閉塞状態」と記載し、それ以外の状態（表示面１００ｂが覆い部３によって覆われていない状態）を「開放状態」と記載する。
【００３１】
覆い部３は、図１に示すように、操作位置を特定するための凹部とされた操作位置特定凹部３ａと、それ以外の部分とされたベース部３ｂから成る。操作位置特定凹部３ａは、例えば、操作者が電子機器１００を注視できないような状態において、特定の機能を実行するためのアイコン等の操作子が表示面１００ｂの表示領域の特定の位置に表示されている場合に、該特定の位置を操作者が認識できるように設けられた凹部である。即ち、閉塞状態において、操作者は触覚によって特定の位置（操作子の位置）を把握可能とされる。
図１では、電子機器カバー１に二つの操作位置特定凹部３ａ，３ａが設けられた例を示している。尚、電子機器カバー１に設けられた操作位置特定凹部３ａは一つでもよく三つ以上であってもよい。
【００３２】
操作位置特定凹部３ａは、例えば、略矩形状又は円環状に形成され、操作位置特定凹部３ａには、枠状の周縁部５が設けられている。周縁部５は、ベース部３ｂよりも薄くされており、ユーザが特定の機能を実行するための被操作部６を有している。
【００３３】
周縁部５に設けられる被操作部６については、いくつかの例が考えられる。
例えば、一つの機能を実行するために一つの被操作部６が設けられていてもよい。
また、一つの機能を実行するための複数の被操作部６，６，・・・が設けられていてもよい。
更に、二つ以上の異なる機能を実行するために複数の被操作部６，６，・・・が設けられていてもよい。
【００３４】
図１に示した電子機器カバー１においては、ベース部３ｂの上方側に配置された操作位置特定凹部３ａに二つの機能を実行するための四つの被操作部６，６，６，６が設けられ、周縁部５がこれらの四つの被操作部６，６，６，６によって構成されている。ベース部３ｂの下方側に配置された操作位置特定凹部３ａには、一つの機能を実行するための一つの被操作部６が設けられ、周縁部５がこの一つの被操作部６によって構成されている。
【００３５】
以下の説明においては、一つの機能を実行するための被操作部６のみを備えて構成された周縁部５を周縁部５Ａと記載する。周縁部５Ａは、一つの機能を実行するための複数の被操作部６，６，・・・を備えていてもよい。
二つの異なる機能を実行するための複数の被操作部６，６，・・・を備えて構成された周縁部５を周縁部５Ｂと記載する。
【００３６】
図１に示す電子機器カバー１においては、ベース部３ｂの上方側に配置された操作位置特定凹部３ａの周縁部５は周縁部５Ｂとされ、ベース部３ｂの下方側に配置された操作位置特定凹部３ａの周縁部５は周縁部５Ａとされている。
周縁部５Ｂに設けられた四つの被操作部６，６，６，６は、操作位置特定凹部３ａの中央部を挟んで反対側の部分とされた第１の機能を実行するための第１被操作部６Ｐ，６Ｐと操作位置特定凹部３ａの中央部を挟んで反対側の部分とされた第２の機能を実行するための第２被操作部６Ｑ，６Ｑとされている。
第２被操作部６Ｑは、第１被操作部６Ｐを操作位置特定凹部３ａの中央に対して略９０°回転させた位置に設けられている。
【００３７】
周縁部５は、外周縁５ａから内周縁５ｂに向かうにつれて厚みが薄くなる傾斜部を有している。傾斜部の前方の面は内方へ行くに従って後方へ変位するように傾斜された傾斜面とされ、この傾斜面は被操作面７とされている。
【００３８】
電子機器１００は、表示面１００ｂを操作者が指先で触れたときに、指先の触れた位置（操作位置）や接触したままで動かした指先の方向（操作方向）を特定するために、表示面１００ｂの内部或いは後方（奥行き方向）にマトリクス状に配置された電極列において静電容量の変化を検知する。
操作者の操作位置や操作方向を検知した電子機器１００は、操作位置や操作方向に応じた機能を実行する。例えば、スワイプ操作に応じて表示面１００ｂ上に表示されたページを次のページへ送る機能などを実行する。
【００３９】
表示面１００ｂ上にシートなどを被せた場合に、ある程度の薄さであればシートの上から接触操作を行ったとしても、電子機器１００は表示面１００ｂにおける静電容量の変化を検知可能である。しかし、シートが一定の厚みよりも厚くなると、電子機器１００は表示面１００ｂにおける静電容量の変化を検知できなくなる。また、同じ厚みであってもシートの材質によって、静電容量変化の検知可否が異なる。
【００４０】
ベース部３ｂの厚みは、操作者が接触操作を行ったとしても電子機器１００が静電容量の変化を検知できない程度の厚み（或いは材質）とされている。
尚、覆い部３の材質としては、電気絶縁性を備えていることが必要である。そして、ある程度の剛性を持つ材質であることが好ましい。
具体的には、樹脂（成形されたものやシート状の母材から切削したもの）や、硬質ウレタンや硬質ゴムや硝子やセラミクスや木材や天然皮革や合成皮革（ウレタン等）や織物類などである。
【００４１】
また、周縁部５は外周縁５ａ上の各点を操作者が接触操作しても静電容量の変化を検知できない厚みとされているが、被操作部６は少なくとも一部が操作者の接触操作に応じた静電容量の変化を検知できる厚みとされている。
従って、例えば、操作者が外周縁５ａから内周縁５ｂに向かって指を滑らせて接触操作した場合には、斜面である被操作面７において表示面１００ｂとの距離が閾値以下となる地点に達したときに静電容量の変化を電子機器１００が検知する。
【００４２】
閉塞状態において、操作者の接触操作を検知可能な領域の一例を図３に示す。
図３に斜線で示した領域は、操作者の接触操作を電子機器１００が検知可能とされ、表示面１００ｂのうちベース部３ｂによって覆われた部分は、接触操作の検知が不可能とされている。これにより、電子機器カバー１の閉塞状態においてベース部３ｂを接触したときに意図せず機能が実行されてしまうことがない。
【００４３】
図１乃至図３の各図に示す例では、操作位置特定凹部３ａの周縁部５Ａは円形とされ、周縁部５Ａの内側は貫通孔ｈ１とされている（図４参照）。
【００４４】
また、他方の操作位置特定凹部３ａの周縁部５Ｂは略矩形とされ、向かい合う一組が直線とされ、他方の向かい合う一組は互いに近づく方向へ凸となる円弧状とされた曲線とされている。周縁部５Ｂの内側は貫通孔ｈ２とされている（図４参照）。
【００４５】
電子機器カバー１の覆い部３の一端からは、略後方に突出された係合凸部８が設けられている。閉塞状態において係合凸部８と保持部２の切り欠き部２ｃが係合することにより、電子機器カバー１は、閉塞状態が保持されるロック状態となる。また、係合を解消することにより、電子機器カバー１は閉塞状態から開放状態へと切り替わる。
係合凸部８及び切り欠き部２ｃは、閉塞状態を保持するためのロック部９を構成する。
【００４６】
＜２．電子機器カバーの開閉動作＞
開放状態の断面図を図５に示す。
開放状態においては、操作者は電子機器１００の表示面１００ｂに対する接触操作や操作子１００ｃに対する操作などが可能とされる。これらの操作に対して、電子機器１００は実行可能な所定の機能を実行する。
【００４７】
図５に示す状態においては、保持部２に対して連結部４を支点に覆い部３を回動させることにより、閉塞状態とすることができる。
【００４８】
閉塞状態の断面図を図６に示す。
閉塞状態においては、前述のように、電子機器カバー１のベース部３ｂに対する接触操作では、電子機器１００は静電容量の変化を検知できず、被操作部６の一部に対する接触操作のみ検知可能とされる。
【００４９】
電子機器１００は、電子機器カバー１の閉塞状態を検知できるように構成されている。
電子機器１００は、閉塞状態を検知した場合に所定の機能を実行するためのソフトウェアを起動する処理を実行する。
【００５０】
以降の説明においては、閉塞状態へと変える動作や開放状態へと変える動作を「覆い部３の開閉動作」と記載する。
【００５１】
＜３．アプリケーション動作例＞
電子機器１００には、予めアプリケーション（ソフトウェア）がインストールされている。
アプリケーションは、操作者の接触操作などに応じて所定の機能を実行する。
先ず、各例を説明する前に、操作者の接触操作の検知と特定の機能の実行について説明する。
【００５２】
図７Ａに示す操作位置特定凹部３ａに対する接触操作が行われたときの電子機器カバー１及び電子機器１００について、断面図を図７Ｂに示す。具体的には、操作者の指先が操作位置特定凹部３ａの中央の貫通孔ｈ１，ｈ２内に露出した表示面１００ｂから操作位置特定凹部３ａ外（ベース部３ｂ上）に移動した状態を示している。
【００５３】
電子機器１００は、プログラムによって設定された表示面１００ｂ上の特定の領域ｆ上を右から左へ向けて通過する接触操作を静電容量の変化に基づいて検知する。このとき、特定の機能を実行するために電子機器１００にインストールされたアプリケーションは、領域ｆ上を右から左へ向けて通過した際に特定の機能が実行されるように構成（プログラミング）されている。
尚、領域ｆに特定の機能を実行するためのアイコンを表示してもよい。これにより、操作者が表示面１００ｂを注視して操作を行う場合に、実行される特定の機能が分かりやすくされる。
【００５４】
尚、電子機器１００は、被操作面７に対する接触操作を領域ｆにおいて検知可能とされていてもよい。この場合には、例えば、被操作面７だけに触れる接触操作によって特定の機能が実行される。
【００５５】
また、領域ｆは周縁部５の後方に設けられていてもよい。この場合には、領域ｆ上を右から左へ向けて通過した際に特定の機能が実行されてもよいし、周縁部５の被操作面７のみに対する接触操作によって特定の機能が実行されてもよい。
【００５６】
［３−１．第１例］
アプリケーションの動作例の第１例では、音楽を再生するアプリケーション（以降「音楽再生アプリ」と記載）について説明する。
【００５７】
先ず、電子機器１００は、表示面１００ｂが閉塞状態を検知すると、音楽再生アプリを起動する処理を実行する。
閉塞状態において音楽再生アプリが起動された状態を図８に示す。
尚、表示面１００ｂの材質は、透明とされて表示面１００ｂに表示された情報が視認可能とされていても、不透明とされて表示面１００ｂにおける貫通孔ｈ１，ｈ２に対応する位置に表示された情報のみが視認可能とされていてもよい。
図８は、簡単のために透視図として示している。
【００５８】
図示するように、電子機器カバー１のベース部３ｂや操作位置特定凹部３ａを介して電子機器１００の表示面１００ｂに表示された各種の情報を視認可能とされる。そして、電子機器１００は、操作位置特定凹部３ａの中央に設けられた貫通孔ｈ１，ｈ２内に露出した表示面１００ｂの一部の領域や、被操作部６の一部の領域に対する接触操作に応じた特定の機能の実行が可能とされている。
【００５９】
説明を容易にするために、音楽再生アプリが起動した状態の電子機器１００のみを図９に示す。
表示面１００ｂには、再生中の曲に関する曲名や歌手名などの曲情報１０１と、再生中の曲に関する画像情報１０２と、再生中の曲に対する一時停止や早送り等の各種操作を行うための電子的な操作子としての操作アイコン１０３，１０３，・・・と、再生位置や曲長を示すシークバー１０４とが表示されている。
【００６０】
以下、被操作部６に対する操作を操作者が行った場合の動作について説明する。
図１０は、周縁部５Ｂにおける二つの第１被操作部６Ｐ，６Ｐのうち、右側の第１被操作部６Ｐを跨ぐ接触操作（スワイプ操作）を操作者が行った状態を示している。当該接触操作を行うと、電子機器１００にインストールされた音楽再生アプリは、接触操作が行われた位置を特定すると共に、操作方向を特定する。図１０に示す例では、上方側に設けられた操作位置特定凹部３ａの周縁部５Ｂの第１被操作部６Ｐに対して操作が行われたことを検知すると共に、スワイプ操作の操作方向が右方であることを特定する。
そして、操作位置及び操作種別（スワイプ操作やタップ操作など）に応じて次の曲の再生を開始する曲送り機能などの特定の機能を実行する。次の曲の再生を開始する場合には、画像情報１０２も次の曲に応じた画像へと変化する。
【００６１】
周縁部５Ｂにおける二つの第１被操作部６Ｐ，６Ｐは、第１の機能を実行するための被操作部とされている。図１０の例における第１の機能とは、「曲送り／曲戻し機能」である。即ち、何れか一方の第１被操作部６Ｐに対する操作を受け付けた場合に電子機器１００は「曲送り機能」を実行し、他方の第１被操作部６Ｐに対する操作を受け付けた場合に電子機器１００は「曲戻し機能」を実行する。
従って、周縁部５Ｂにおける左側の第１被操作部６Ｐに対してスワイプ操作（或いはフリック操作やタップ操作などであってもよい）が行われた場合に、電子機器１００は曲戻し機能を実行する。
【００６２】
ベース部３ｂの上方側に設けられた周縁部５Ｂに対する別の接触操作の例について、図１１を参照して説明する。
図１１は、周縁部５Ｂにおける二つの第２被操作部６Ｑ，６Ｑのうち、下側の第２被操作部６Ｑに対する接触操作（スワイプ操作）を操作者が行った状態を示している。
当該接触操作を行うと、電子機器１００にインストールされた音楽再生アプリは、接触操作に基づき特定した操作位置及び操作方向に応じて第２の機能を実行する。
尚、第１の機能及び第２の機能では、接触操作の操作方向が特定の方向である場合にのみ実行されるようにしてもよいし、何れの操作方向であっても実行されるようにしてもよい。
【００６３】
第２の機能の一例として、音量調整機能を説明する。
周縁部５Ｂにおける二つの第２被操作部６Ｑ，６Ｑは、第２の機能を実行するための被操作部とされている。即ち、何れか一方の第２被操作部６Ｑに対する操作を受け付けた場合に電子機器１００は「音量を上げる機能」を実行し、他方の第２被操作部６Ｑに対する操作を受け付けた場合に電子機器１００は「音量を下げる機能」を実行する。
具体的には、図１１に示すように、電子機器１００は、周縁部５Ｂにおける上側の第２被操作部６Ｑに対してスワイプ操作などが行われた場合に音量を上げる機能を実行し、下側の第２被操作部６Ｑに対してスワイプ操作などが行われた場合に音量を下げる機能を実行する。
【００６４】
続いて、電子機器カバー１のベース部３ｂに設けられた二つの操作位置特定凹部３ａ，３ａのうち、下方側の被操作部６に対する接触操作の例を説明する。
下方側の被操作部６は、一つの機能を実行するために設けられている。即ち、操作方向によらず同一の機能を実行することができる。
図１２に示すように、下方側の被操作部６に対して右方へのスワイプ操作を行った場合に、例えば、電子機器１００は対応する機能として「再生／一時停止切り替え機能」を実行する。
即ち、音楽再生アプリが曲を再生中である場合には、曲の再生を一時停止する。また、一時停止中である場合には、一時停止していた状態から曲を再生させる。
尚、周縁部５Ａの被操作部６に関しては、異なる操作方向でスワイプ操作を行ったとしても、同様の機能が実行される。
【００６５】
第１例において、覆い部３の上方側に配置された操作位置特定凹部３ａの第１被操作部６Ｐや第２被操作部６Ｑに対する接触操作、或いは、下方側に配置された操作位置特定凹部３ａの被操作部６に対する接触操作を検知した場合に、電子機器１００が実行する機能としては、上記の例を含め多様な例が考えられる。各例を以下に示す。
・再生／一時停止切り替え機能
・再生／停止切り替え機能
・音量調節機能
・曲送り／曲戻し機能
・フォルダ送り／フォルダ戻し機能
・ランダム再生ＯＮ／ＯＦＦ機能
・リピート再生ＯＮ／ＯＦＦ機能
・イコライザ設定切り替え機能
・ノイズキャンセル設定ＯＮ／ＯＦＦ機能
【００６６】
「フォルダ送り／フォルダ戻し機能」は、現在再生対象のフォルダを切り換える機能であり、「フォルダ送り」とは次のフォルダに入っている曲が選択される機能である。また、「フォルダ戻り」とは前のフォルダに入っている曲が選択される機能である。
「フォルダ送り／フォルダ戻し機能」の他の例として、アルバムやアーティストやジャンルや年代などの楽曲に紐付けられたタグ情報に基づいて各楽曲がグループ化されている場合には、「フォルダ送り／フォルダ戻し機能」を実行することによって再生対象となるグループが切り換えられるように構成されていてもよい。
【００６７】
図１０乃至図１２の説明では、電子機器カバー１に設けられた操作位置特定凹部３ａ，３ａのうち、上方側の操作位置特定凹部３ａの周縁部５Ｂには、二つの機能を実行するために二つずつの被操作部（第１被操作部６Ｐ，６Ｐ，第２被操作部６Ｑ，６Ｑ）が設けられた例を説明したが、電子機器カバー１には三つ以上の機能を実行するための被操作部が設けられていてもよい。
【００６８】
電子機器カバー１に三つ以上の機能を実行するための被操作部が設けられた例を図１３に示す。図１３は、上方側に設けられた操作位置特定凹部３ａを拡大して示した図である。
図示した操作位置特定凹部３ａは、四つの異なる機能が割り当てられた第１被操作部６Ｐ，第２被操作部６Ｑ、第３被操作部６Ｒ、第４被操作部６Ｓが設けられた周縁部５Ｃを備えている。
【００６９】
例えば、第１被操作部６Ｐに対する接触操作を行った場合には、「曲送り／曲戻し機能」が実行される。ここで、曲送りを行うか曲戻しを行うかは、操作方向による。
【００７０】
図１４に示す各矢印は、スワイプ操作の開始点から終了点までの指の動きを示している。
第１被操作部６Ｐに対して操作方向Ｄ１となるスワイプ操作を行った場合には、電子機器１００は曲送りを行う。また、操作方向Ｄ２となるスワイプ操作を行った場合には、電子機器１００は曲戻しを行う。
【００７１】
第２被操作部６Ｑには、「再生／一時停止切り替え機能」が割り当てられている。何れの処理を行うかについては、同様に操作方向による。
即ち、第２被操作部６Ｑに対して操作方向Ｄ３となるスワイプ操作を行った場合には、電子機器１００は曲の再生を行う。また、操作方向Ｄ４となるスワイプ操作を行った場合には、電子機器１００は曲の一時停止を行う。
尚、ある機能をＯＮ／ＯＦＦする機能などの二つの状態を切り換える機能が割り当てられている場合は、操作方向を特定せずにＯＮ／ＯＦＦをトグルさせてもよい。
【００７２】
操作方向によって何れの機能を実行するかが定められている場合には、操作者は現在の状態を考慮せずに意図した操作を行うことができる。例えば、右方へのスワイプ操作及び左方へのスワイプ操作の何れの操作を行っても、現在の状態によらず所定の機能が実行される。
また、操作方向によらずに所定の機能が実行されるようにされていてもよい。この場合には、操作方向と機能内容の関係性を覚える必要がなく、容易に操作することができる。
【００７３】
第３被操作部６Ｒには、「ランダム再生ＯＮ／ＯＦＦ機能」が割り当てられている。
第３被操作部６Ｒに対して操作方向Ｄ５となるスワイプ操作を行った場合に、電子機器１００はランダム再生をＯＮにする処理を行う。また、操作方向Ｄ６となるスワイプ操作を行った場合に、電子機器１００はランダム再生をＯＦＦにする処理を行う。
【００７４】
第４被操作部６Ｓには、「リピート再生ＯＮ／ＯＦＦ機能」が割り当てられている。
第４被操作部６Ｓに対して操作方向Ｄ７となるスワイプ操作を行った場合に、電子機器１００はリピート再生をＯＮにする処理を行う。また、操作方向Ｄ８となるスワイプ操作を行った場合に、電子機器１００はリピート再生をＯＦＦにする処理を行う。
【００７５】
尚、一つの被操作部６に対して二つの機能が割り当てられていてもよい。
例えば、第４被操作部６Ｓに、「ランダム再生ＯＮ／ＯＦＦ機能」及び「ノイズキャンセル設定ＯＮ／ＯＦＦ機能」が割り当てられていてもよい。
例えば、操作方向Ｄ７となるスワイプ操作を行った場合に、電子機器１００はランダム再生のＯＮとＯＦＦをトグルさせる処理を実行する。また、操作方向Ｄ８となるスワイプ操作を行った場合に、電子機器１００はノイズキャンセル設定のＯＮとＯＦＦをトグルさせる処理を実行する。
【００７６】
［３−２．第２例］
アプリケーション動作の第２例では、車両走行時における目的地案内や経路案内を行うアプリケーション（以降「カーナビアプリ」と記載）について説明する。
第２例における電子機器カバー１Ａは、図１５に示すように、ベース部３ｂに略矩形の操作位置特定凹部３ａが一つだけ設けられている点で先の電子機器カバー１と異なる。
【００７７】
操作位置特定凹部３ａの周縁部５Ｃは略矩形とされ、上縁部は上に凸とされた緩やかな曲線状とされ、下縁部は下に凸とされた緩やかな曲線状とされている。
また、内周縁５ｂの内側は貫通孔ｈ３とされている。
【００７８】
周縁部５Ｃは、右側の部分が第１被操作部６Ｐとされ、左側の部分が第２被操作部６Ｑとされ、上側の部分が第３被操作部６Ｒとされ、下側の部分が第４被操作部６Ｓとされている。
電子機器カバー１Ａにおいては、周縁部５Ｃのうち、何れの被操作部を操作するかによって実行される機能が異なる。
【００７９】
図１６を参照して、周縁部５Ｃに対する接触操作と実行される機能の関係についての一例を説明する。
先ず、周縁部５Ｃの右側の部分とされた第１被操作部６Ｐに対して左右方向のスワイプ操作を行うと、電子機器１００は、「目的地設定画面呼び出し機能」を実行する。
具体的には、電子機器１００の表示面１００ｂに地図情報やルート情報が表示されている状態において右方向へのスワイプ操作Ｄ９を行うと、目的地を設定する画面が表示面１００ｂに表示される。
また、目的地設定画面が表示された状態で左方向へのスワイプ操作Ｄ１０を行うと、地図情報が表示される画面が表示面１００ｂに表示される。
【００８０】
周縁部５Ｃの左側の部分とされた第２被操作部６Ｑに対して左右方向のスワイプ操作を行うと、電子機器１００は、「方角切り替え機能」を実行する。
具体的には、電子機器１００の表示面１００ｂに地図情報やルート情報が表示されている状態において、右方向へのスワイプ操作Ｄ１１を行うと、地図上の上方向と北の方角が一致する「ノースアップモード」へと切り替わる。
また、左方向へのスワイプ操作Ｄ１２を行うと、地図上の上方向と自車の進行方向が一致する「ヘディングアップモード」へと切り替わる。
【００８１】
周縁部５Ｃの上側の部分とされた第３被操作部６Ｒに対して左右方向のスワイプ操作Ｄ１３，Ｄ１４、即ち、第３被操作部６Ｒの長手方向に沿ったスワイプ操作を行うと、電子機器１００は、「地図縮尺の変更機能」を実行する。
具体的には、電子機器１００の表示面１００ｂに地図情報が表示されている状態において、右方向へのスワイプ操作Ｄ１３を行うと、地図の拡大が行われる。また、左方向へのスワイプ操作Ｄ１４を行うと、地図の縮小が行われる。
スワイプ操作Ｄ１３，Ｄ１４においては、操作者の操作量に応じて、拡大率の変化量を変えることが好ましい。
【００８２】
周縁部５Ｃの下側の部分とされた第４被操作部６Ｓに対して左右方向のスワイプ操作を行うと、電子機器１００は、「ナビ音量変更機能」を実行する。ナビ音量とは、ナビゲーションのために電子機器１００が行う音声出力の音量である。
具体的には、電子機器１００がルート案内のための音声出力を行っている場合に、右方向へのスワイプ操作Ｄ１５を行うと、ナビ音量が上がる。また、左方向へのスワイプ操作Ｄ１６を行うと、ナビ音量が下がる。
スワイプ操作Ｄ１４，Ｄ１５においては、操作者の操作量に応じて、音量の変化量を変えることが好ましい。
【００８３】
第２例において第１被操作部６Ｐや第２被操作部６Ｑや第３被操作部６Ｒや第４被操作部６Ｓに対する操作を検知した場合に、電子機器１００が実行する機能としては、上記した例を含め多様な例が考えられる。各例を以下に示す。
・目的地設定画面呼び出し機能
・方角切り替え機能
・３Ｄ（鳥瞰図）／２Ｄ（平面地図）切り替え機能
・地図縮尺の変更機能
・ナビ音量変更機能
・地図中心位置の変更機能
・ナビゲーション開始／終了切り替え機能
・登録地点への目的地設定機能
特に、操作量の大きいスワイプ操作が可能な被操作部６に対する操作を検知したときに実行する機能としては、「地図縮尺の変更機能」や「ナビ音量変更機能」などが適している。従って、電子機器１００は、第１被操作部６Ｐや第２被操作部６Ｑに対する上下方向のスワイプ操作に応じて「地図縮尺の変更機能」や「ナビ音量変更機能」を実行してもよい。
【００８４】
また、電子機器１００が複数のアプリケーションを同時に実行可能である場合には、バックグラウンドで動作している他のアプリケーションが有している機能に対して上記のスワイプ操作を割り当てることもできる。
例えば、第１被操作部６Ｐに対するスワイプ操作を行うと、バックグラウンドで動作している音楽再生アプリの「曲送り／曲戻し機能」が実行されるように構成してもよい。
【００８５】
上記の各機能は、各被操作部６Ｐ，６Ｑ，６Ｒ，６Ｓの何れに割り当てられていても構わない。
また、一つの被操作部６に対して複数の機能を割り当ててもよい。例えば、第１被操作部６Ｐに対する左右方向のスワイプ操作に「目的地設定画面呼び出し機能」を割り当て、上下方向のスワイプ操作に「地図縮尺の変更機能」を割り当ててもよい。
また、表示面１００ｂに表示されている画面ごとに異なる機能が割り当てられていてもよい。
【００８６】
［３−３．第３例］
アプリケーション動作の第３例では、文字入力を備えたアプリケーションについて説明する。
第３例における電子機器カバー１Ｂは、図１７に示すように、ベース部３ｂに略矩形の操作位置特定凹部３ａが多数設けられている点で先の電子機器カバー１、１Ａとは異なる。
具体的には、図示するように、例えば、５列及び４行に亘ってマトリクス状に２０個の操作位置特定凹部３ａ，３ａ，・・・が設けられている。
操作位置特定凹部３ａの中央には貫通孔ｈ４が形成されている。
【００８７】
図１８は、表示面１００ｂに表示される情報の一例として電子メール作成画面を示したものである。
電子メール作成画面には、略上半分の部分に宛先や作成中の電子メールの文章が表示される入力欄１０５が設けられ、略下半分の部分に入力する文字や機能を選択する入力・機能アイコン１０６，１０６，・・・が設けられている。該機能は、例えば、入力文字種を変換させる機能や入力文字列を確定する機能などである。
【００８８】
例えば、「あ」が表示されている入力・機能アイコン１０６に対する接触操作に応じて、「あ」、「い」、「う」、「え」、「お」のいずれかの文字を入力することができる。
また、「→」が表示されている入力・機能アイコン１０６に対する操作に応じて、カーソルの位置が右へ移動する機能を実行することができる。
【００８９】
図１９Ａ及び図１９Ｂに２０個の操作位置特定凹部３ａ，３ａ，・・・のうちの一つを拡大して示す。
図示するように、一つの操作位置特定凹部３ａの周縁部５Ａは、一つの機能を実行するための被操作部６を備えている。
第３例では、周縁部５Ａに対する操作者の操作に基づいて実行される機能として「文字入力機能」を説明する。更に、第３例では、操作の始点及び終点に基づいて異なる処理が行われる例を説明する。
【００９０】
操作位置特定凹部３ａは、図１９Ａに斜線で示すように、外周縁５ａと内周縁５ｂの間にある領域の一部において、操作者の接触操作を電子機器１００が検知可能とされる。
【００９１】
図１９Ｂには、操作者の操作位置及び操作方向の例を図示している。具体的には、一つの矢印につき一つのフリック操作を示している。そして、矢印の始点がフリック操作の始点を示し、矢印の終点がフリック操作の終点を示している。
例えば、操作方向Ｄ１７とされた操作は、周縁部５Ａの内側から左方向に向かってフリック操作を行うことを意味する。
そして、周縁部５Ａの領域から内側の貫通孔ｈ４に向かって行うフリック操作については、矢印が図示されていないように、電子機器１００は対応する機能を実行しないように構成されている。
尚、周縁部５Ａの内側の領域とされた貫通孔ｈ４内に露出した表示部１００ｂの部分に対するタップ操作は可能とされる。
【００９２】
一つの周縁部５Ａに対する接触操作について、図１９Ｂを参照して説明する。以下には、例として、文字入力として日本語の「あ行」を入力する場合とカーソルの位置を右へ移動させる場合について説明する。
周縁部５Ａの内側の領域に対するタップ操作を検知すると、電子機器１００は、日本語の「あ」の文字を表示部１００ｂの所定の位置に表示する。所定の位置とは、例えば操作者が文字を入力したいと考えて意図的に選択した文章中の位置である。
【００９３】
周縁部５Ａの内側の領域から左方に向けたフリック操作Ｄ１７を検知すると、電子機器１００は、「い」の文字を表示部１００ｂの所定の位置に表示する。
【００９４】
周縁部５Ａの内側の領域から上方に向けたフリック操作Ｄ１８を検知すると、電子機器１００は、「う」の文字を表示部１００ｂの所定の位置に表示する。
【００９５】
周縁部５Ａの内側の領域から右方に向けたフリック操作Ｄ１９を検知すると、電子機器１００は、「え」の文字を表示部１００ｂの所定の位置に表示する。
【００９６】
周縁部５Ａの内側の領域から下方に向けたフリック操作Ｄ２０を検知すると、電子機器１００は、「お」の文字を表示部１００ｂの所定の位置に表示する。
【００９７】
入力する文字を選択するための操作位置特定凹部３ａ以外の操作位置特定凹部３ａに対する接触操作について説明する。例えば、機能を選択するための操作位置特定凹部３ａに対する接触操作であり、図１８に示す「→」が表示されている入力・機能アイコン１０６に対する接触操作である。
「→」が表示されている入力・機能アイコン１０６に対する接触操作を行った場合に、電子機器１００は、周縁部５Ａに対する接触操作が何れの操作方向であったとしても、カーソルの位置を右へ移動させる機能を実行する。
【００９８】
尚、本例のように複数の操作位置特定凹部３ａ，３ａ，３ａ・・・が設けられている場合には、隣り合って配置される操作位置特定凹部３ａの周縁部５の形状等が異なるように構成されていてもよい。
例えば、矩形の周縁部５や円形の周縁部５が隣り合って配置されてもよいし、被操作面７のベース部３ｂに対する傾斜度合いが異なる周縁部５，５が隣り合って配置されてもよいし、被操作面７に設けられた後述する凹部や凸部の有無や形状が異なる周縁部５，５が隣り合って配置されてもよい。
これにより、操作者は、表示面１００ｂやベース部３ｂを注視できないような状態において、隣り合う操作位置特定凹部３ａ，３ａのうちの何れに対する接触操作を行っているかを把握することが容易となり、特定の機能を実行することが容易となる。
【００９９】
＜４．位置補正＞
次に、電子機器カバー１における電子機器１００に対する位置補正について説明する。
閉塞状態においては、電子機器カバー１の覆い部３に設けられた操作位置特定凹部３ａと、電子機器１００における表示面１００ｂの操作領域との相対的な位置関係が重要である。
双方の相対的な位置がずれている場合には、操作者が操作位置特定凹部３ａの被操作部６に対する接触操作を行ったときに、操作者の意図しない操作領域で検出されてしまい、意図しない機能が実行される虞がある。
これを回避するためには、以下のような位置補正を行うことが望ましい。
以下に、位置補正を行うための電子機器カバー１の構成と、電子機器１００の処理について説明する。
【０１００】
［４−１．電子機器カバーの構成］
本例における電子機器カバー１Ｃを、図２０及び図２１Ａに示す。
図２１Ａは、図２０に示す一点鎖線Ａ−Ａにおける断面図である。
電子機器カバー１Ｃは、覆い部３を表示面１００ｂに近接したときに表示面１００ｂの後方に設けられた電極列を介して検知可能な静電容量を変化させるための部材が設けられている点が先の電子機器カバー１，１Ａ，１Ｂと異なる。
尚、電子機器カバー１Ｃの操作位置特定凹部３ａ，３ａの配置態様は電子機器カバー１と同様である。
【０１０１】
電子機器カバー１Ｃにおけるベース部３ｂは、絶縁性の部材で形成された絶縁部１０と、表示面１００ｂに近接させたときに静電容量を変化させるための三つの基準位置特定部１１，１１，１１と、三つの基準位置特定部１１，１１，１１の前面に接触した状態で配置された検知補強部１２とを備えている。
検知補強部１２は、覆い部３の開閉動作において、例えば操作者の手などの十分な静電容量を持つ対象と接触されるように構成されている。
尚、基準位置特定部１１の個数は四つ以上であっても構わない。以下の説明では、基準位置特定部１１の個数が三つとされた電子機器カバー１Ｃの例を説明する。
【０１０２】
基準位置特定部１１，１１，１１は、ベース部３ｂの内部に設けられている。
基準位置特定部１１としては、静電容量を変化させることが可能な材料が用いられている。このような材料は、例えば、導電性シリコンや導電性ゴムや導電性エラストマーや金属やカーボンなどである。
基準位置特定部１１が埋め込まれたベース部３ｂは、所謂インサート成形などによって形成される。
また、複数の材料が積層されることによってベース部３ｂが構成される場合には、基準位置特定部１１を埋め込むための空間が形成されるように積層することによって、基準位置特定部１１が内部に配置されたベース部３ｂを形成してもよい。
【０１０３】
検知補強部１２は、表示面１００ｂに近接させたときの静電容量の変化を増大させるための部材であり、基準位置特定部１１と同様の材料で形成されている。ベース部３ｂに検知補強部１２を設けることにより、閉塞状態の検知が容易になる。また、検知補強部１２によって静電容量の変化を増大させることができるため、基準位置特定部１１の素材選択の幅を拡げることができる。
【０１０４】
開放状態から閉塞状態に変化すると、表示面１００ｂに覆い部３が近接することにより静電容量が変化する。電子機器１００は、この静電容量の変化を検知し、閉塞状態に変化したことを認識する。
【０１０５】
尚、ベース部３ｂに埋設された検知補強部１２が透明部材でない場合には、ベース部３ｂの絶縁部１０が不透明な部材で形成されていることが望ましい。
絶縁部１０が不透明な部材で形成されていることにより、検知補強部１２を外部から見えないようにすることができるため、電子機器カバー１Ｄの見栄えを向上させることができる。
【０１０６】
図２１Ｂに、電子機器カバー１Ｃの別態様としての電子機器カバー１Ｄを示す。
図２１Ｂは、図２０に示す一点鎖線Ａ−Ａにおける断面図である。
電子機器カバー１Ｄは、ベース部３ｂのうち基準位置特定部１１，１１，１１よりも前方に位置する部分の全てが検知補強部１２とされている。
この場合には、検知補強部１２の体積が大きくなるため、静電容量の変化を更に増大させることができるため、基準位置特定部１１の素材選択の幅を拡げることができる。
【０１０７】
尚、検知補強部１２が絶縁部１０の材料よりも重い金属などの材料で形成されている場合には、図２１Ａに示すように、基準位置特定部１１，１１，１１よりも前方に位置する部分の一部が形成されていることにより、覆い部３の軽量化を図ることができる。
また、検知補強部１２が覆い部３の開閉動作時に十分な静電容量を持つ対象と接触されることにより、覆い部３の開閉動作を確実に検知することができる。
【０１０８】
尚、基準位置特定部１１のみによって静電容量を十分に変化させることができる場合には、電子機器カバー１Ｃ，１Ｄのベース部３ｂに検知補強部１２を設けなくてもよい。
【０１０９】
電子機器１００の表示面１００ｂが基準位置特定部１１の接触（或いは接近）を検知することにより、電子機器１００に対する電子機器カバー１の装着が把握される。
一般的に覆い部３が装着された状態か否かを判別するためには、電子機器１００に磁石等を設けておき、当該磁石を利用した検知が行われている。
しかし、本構成のように、覆い部３に設けられた基準位置特定部１１が表示面１００ｂに接触したことを検知する手法であれば、電子機器１００上で動作するソフトウェアを利用することにより実現することができる。
即ち、電子機器１００に磁石等を設けなくても済むため、部品点数の削減やコストダウンを図ることができる。そして、上述した各種の電子機器カバー１に対応するために磁石が設けられた専用の電子機器１００を用意しなくて済むため、電子機器カバー１の汎用性を高めることができる。
特に、様々なソフトウェアを利用できる携帯電話などの電子機器１００では、本構成による電子機器カバー１に対応したソフトウェアをインストールすることが可能となるため、当該電子機器カバー１の対象として好適である。
【０１１０】
また、表示面１００ｂに対する覆い部３の相対的な位置が把握される。即ち、表示面１００ｂに対する被操作部６としての周縁部５の相対的な位置も把握される。
従って、操作者が行った操作が被操作部６に対して行ったものであるか否かを判別することができ、延いては被操作部６に対応する特定の機能を確実に実行することができる。特に、基準位置特定部１１が三つ設けられることにより、被操作部６の位置検出の精度を高めることができると共に、位置補正の精度を高めることができる。
更に、基準位置特定部１１が少なくとも三つ設けられることで、意図しない指の接触による誤動作を抑制することができる。
【０１１１】
［４−２．電子機器の処理］
覆い部３の開閉動作に応じて電子機器１００が実行する位置補正に関する処理について説明する。
電子機器１００が実行する処理についてのフローチャートを図２２に示す。
【０１１２】
先ず、位置補正に関する処理を行う前処理としてのステップＳ１０１において、電子機器１００は専用アプリケーションを起動させておく。
例えば、電子機器１００がスマートフォンである場合には、スマートフォンの電源を投入した際に専用アプリケーションが起動するように設定しておくことにより、ステップＳ１０１の処理が前処理として実行される。
【０１１３】
電子機器１００は、ステップＳ１０１の処理が実行され専用アプリケーションの起動が完了した状態で、後述する位置補正に関する処理を実行する。
電子機器１００は、ステップＳ１０２において、基準位置特定部１１，１１，１１の表示部１００ｂに対する３点の同時接触を検知したか否かを判定する。電子機器１００は、表示面１００ｂ上における同時接触を検知するまでステップＳ１０２の処理を実行する。
３点の同時接触を検知した場合に、電子機器１００はステップＳ１０３において、専用アプリケーションをアクティブ化する処理を行う。例えば、音楽再生アプリの例では、図９に示す音楽再生アプリを利用するためのＵＩ（User Interface）を表示面１００ｂ上に表示させる処理である。
尚、前述のように電子機器カバー１に四つ以上の基準位置特定部１１が設けられている場合には、基準位置特定部１１の個数に応じた点数の同時接触の検知を行う。
【０１１４】
続いて、電子機器１００はステップＳ１０４において、同時に検知した３点の座標を用いた位置補正を実施する。この処理は、閉塞状態において、表示面１００ｂに対する覆い部３の相対的な位置が常に同じ位置に存在するとは限らないために実行される処理である。即ち、操作者の操作意図に沿った処理を実行するための処理であり、例えば、操作者が押下したいアイコンに応じた処理が実行されるようにするための処理である。
ステップＳ１０４の位置補正の処理を実行することにより、左右方向、上下方向及び回転角度の位置補正がなされる。
この位置補正は、操作者が実際に操作した位置、即ち、操作位置特定凹部３ａの被操作部６の位置を適切な位置へと補正するためのオフセット値を算出することにより行われる。
【０１１５】
従って、位置補正を実施した後に操作位置特定凹部３ａにおける被操作部６に対する接触操作が行われた場合に、接触操作が行われた操作位置に対してオフセット値を加算した補正位置に対する接触操作が行われたとみなす事により、電子機器１００は操作者が意図した機能を適切に実行することができる。
【０１１６】
尚、電子機器カバー１Ｄの操作位置特定凹部３ａの位置に応じて表示面１００ｂ上にアイコン等の表示を行う場合には、位置補正処理においてアイコン等の位置を補正してもよい。これにより、表示面１００ｂに表示されたアイコン等を見ながら操作する場合の操作性を向上させることができる。
【０１１７】
次に、電子機器１００はステップＳ１０５において、表示面１００ｂ上における３点の同時接触の解除を検知したか否かを判定する。
３点の同時接触の解除を検知するまでステップＳ１０５の処理は継続的に実行される。
【０１１８】
尚、ステップＳ１０５の処理は、ステップＳ１０２の処理よりも低頻度で実行してもよい。
例えば、ステップＳ１０２の処理を６０Ｈｚのサンプリングレートで実行する場合に、ステップＳ１０５の処理は１Ｈｚ（１秒に１回）のサンプリングレートで実行してもよい。実行頻度を落とすことにより、電子機器の処理負担を軽減し、音楽再生アプリ等の処理の妨げにならないようにすることができる。
【０１１９】
同時接触の解除を検知した場合に、電子機器１００はステップＳ１０６において、専用アプリケーションを非アクティブ化させる処理を実行する。
【０１２０】
尚、専用アプリケーションは、覆い部３の開閉動作を検知する処理及び位置補正を行うための処理以外にも、先に述べた音楽再生アプリとしての各種機能を実現するための処理を実行するソフトウェアである。
そのため、例えば、音楽再生アプリにおける再生／一時停止切り替え機能の実行に係る処理など、操作位置特定凹部３ａに対する操作者の操作に応じた各種の処理は、図２２に示すフローチャートの処理とは別に平行して実行される。
【０１２１】
但し、開閉動作を検知する処理及び位置補正を行うための処理を行うだけの専用アプリケーションと、音楽再生アプリ等がそれぞれ別々のソフトウェアであってもよい。その場合には、電子機器１００はステップＳ１０３において専用アプリケーションをアクティブ化させる代わりに音楽再生アプリを起動する処理を実行し、ステップＳ１０６において、専用アプリケーションを非アクティブ化する代わりに音楽再生アプリを終了させる処理を実行する。
【０１２２】
尚、専用アプリケーションと、音楽再生アプリ等が別々のソフトウェアである場合には、電子機器カバー１，１Ａ，１Ｂそれぞれのベース部３ｂに配置態様の異なる基準位置特定部１１，１１，１１を設けてもよい。これにより、専用アプリケーションは、検知した３点の配置態様により電子機器１００が何れの電子機器カバー１，１Ａ，１Ｂが装着されているかを検知することができる。従って、電子機器１００は、適切なアプリケーションを選択して起動させる処理をステップＳ１０３において実行することができる。
【０１２３】
＜５．変形例＞
［５−１．周縁部における変形例］
上記の各例においては、電子機器カバー１，１Ａ，１Ｂ，１Ｃ，１Ｄの周縁部５（５Ａ，５Ｂ，５Ｃ）の被操作面７がベース部３ｂに対して一定の傾きとされた斜面である例を説明した（例えば図４）が、被操作面７はベース部３ｂに対して傾斜された形状に限られることはない。
以下に、被操作面７の形状における各種の変形例について、各断面図を参照しながら説明する。
【０１２４】
先ず、図２３Ａに示すように、被操作面７が凹面とされていてもよい。
例えば、操作者の指先がベース部３ｂから周縁部５の外周縁５ａに差し掛かったときに、指先で感じる傾斜の度合いの変化が大きくなるため、操作位置特定凹部３ａの位置を把握することが容易となる。また、操作方向が外周縁５ａから内周縁５ｂに向かう方向とされたスワイプ操作などを行ったことを認識しやすい。
【０１２５】
次に、図２３Ｂに示すように、被操作面７が凸面とされていてもよい。
例えば、操作者の指先が操作位置特定凹部３ａの中央にある貫通孔ｈ１（ｈ２，ｈ３，ｈ４）内に露出した表示面１００ｂの部分から周縁部５に差し掛かったときに、指先で感じる傾斜の度合いの変化が大きくなるため、操作方向が内周縁５ｂから外周縁５ａに向かう方向とされたスワイプ操作などを行ったことを認識し易い。
【０１２６】
更に、図２３Ｃに示すように、周縁部５の被操作面７が多数の段差面を有していてもよい。
これにより、操作者がベース部３ｂ上を指で滑らせる操作を行った場合に、段差面により接触操作を行う指先等が操作位置特定凹部３ａに差し掛かったことを把握することが容易となる。
また、スワイプ操作などを行った場合に、被操作部６に対する操作を行ったことを認識することが容易となる。
【０１２７】
他にも、図２４Ａに示すように、周縁部５の被操作面７に凸部１３が設けられていてもよい。
これにより、操作者は周縁部５の位置や操作位置特定凹部３ａの位置を特定することが容易とされる。
【０１２８】
また、図２４Ｂに示すように、周縁部５の被操作面７に凹部１４が設けられていてもよい。
これにより、操作者は周縁部５の位置や操作位置特定凹部３ａの位置を特定することが容易とされる。
尚、図２４Ａに示す凸部１３や凹部１４は、周縁部５における外周縁５ａ側に寄って設けられていてもよいし、内周縁５ｂ側に寄って設けられていてもよいし、外周縁５ａと内周縁５ｂの略中央に設けられていてもよい。
【０１２９】
［５−２．外周縁及び内周縁における変形例］
前述した各例では、図３，図１５及び図１９に示すように、周縁部５が略矩形や円形とされた例を説明したが、周縁部５はこれらの形状に限られることはない。
以下に、周縁部５の他の形状の例について説明する。
【０１３０】
操作位置特定凹部３ａの周縁部５は、図２５Ａに示すように、三角形とされていてもよい。
また、図２５Ｂに示すように、周縁部５が五角形とされてもよい。もちろん、それ以外の多角形とされていてもよい。
【０１３１】
また、図２５Ｃに示すように、周縁部５の形状は、直線部のみによって構成される形状であっても構わない。尚、図２５Ｃには、例として、Ｌ字状の形状を示している。
【０１３２】
そして、図２６Ａに示すように、周縁部５の形状は、楕円状や小判型とされてもよい。図２６Ａは、小判型の周縁部５を示した例である。
更に、図２６Ｂに示すように、外周縁５ａ及び内周縁５ｂの形状は、直線部と曲線部を組み合わせた形状とされていてもよい。
【０１３３】
尚、ベース部３ｂに複数の周縁部５，５，・・・を設けた場合に、それぞれの周縁部５を異なる形状としてもよい。外周縁５ａ及び内周縁５ｂの形状を異なるものとすることにより、触覚を頼りに被操作部６に対する接触操作を行う場合に、何れの被操作部６を操作しているかを把握することが容易となる。
【０１３４】
［５−３．その他の変形例］
周縁部５に第１被操作部６Ｐと第２被操作部６Ｑが設けられた場合に、第１被操作部６Ｐと第２被操作部６Ｑの触感を異なるようにしてもよい。例えば、第１被操作部６Ｐと第２被操作部６Ｑが異なる材料によって形成されていてもよい。他にも、一方を滑らかな平面で構成し、他方を微細な凹凸のある平面で構成してもよい。
これにより、触覚のみを頼りに第１被操作部６Ｐと第２被操作部６Ｑの位置を把握する場合に把握が容易となり、第１の機能と第２の機能を誤って実行してしまうことを抑制することができる。
【０１３５】
上述した各例においては、操作位置特定凹部３ａの略中央部が貫通孔ｈ１（ｈ２，ｈ３，ｈ４）とされた例を説明したが、例えば、図２７に示すように、操作位置特定凹部３ａが周縁部５の内側に周縁部５より厚みの薄い平面部１５を有する形状に形成されていてもよい。
操作位置特定凹部３ａの周縁部５の内側の部分が最も厚みの薄い部分とされることで、操作者の接触操作に対する検知性能を妨げることなく電子機器１００の表示面１００ｂの傷付き等の防止を図ることができる。また、覆い部３の強度を向上させることもできる。
【０１３６】
スマートフォンなどの電子機器１００では、表示面１００ｂの保護を図るために保護フィルム１０７を貼付することがある。
図２７には、保護フィルム１０７を表示面１００ｂ上に貼付した状態での閉塞状態を示している。
この場合には、操作位置特定凹部３ａにおける最も厚みの薄い部分の厚みや周縁部５の厚みは、表示面１００ｂの表面に保護フィルム１０７を貼付した状態でも上述した各種の接触操作を問題なく行えるような厚みとされることが望ましい。
【０１３７】
尚、図２８に示すように、保護フィルム１０７が電子機器カバー１であってもよい。
保護フィルム１０７が電子機器カバー１として機能する場合には、保護フィルム１０７が覆い部３となり、電子機器カバー１は保持部２や連結部４を備えていない。
【０１３８】
図２１Ａ及び図２１Ｂに示した例では、金属等で形成された基準位置特定部１１，１１，・・・が表示面１００ｂに接触する例を説明したが、基準位置特定部１１，１１，・・・をベース部３ｂの内部に設けることにより表示面１００ｂに接しないように構成してもよい（図２９参照）。但し、閉塞状態において基準位置特定部１１が電子機器１００における静電容量を変化させることが可能となるように構成することが必要である。
これにより、基準位置特定部１１の接触による表示面１００ｂの傷付き等を防止することができる。
【０１３９】
上記した各例では、ベース部３ｂから操作位置特定凹部３ａの中央に向かって行うスワイプ操作（或いはフリック操作）と操作位置特定凹部３ａの中央からベース部３ｂに向かって行うスワイプ操作（或いはフリック操作）の双方に対して、所定の機能を実行する例を説明したが、操作位置特定凹部３ａの中央からベース部３ｂに向かって行うスワイプ操作（或いはフリック操作）のみを受け付けて所定の機能を実行するようにしてもよい。
例えば、操作者が電子機器を注視せずに接触操作を行う場合に、操作位置特定凹部３ａを手探りで探すときにベース部３ｂから操作位置特定凹部３ａの中央に向かって行うスワイプ操作を意図せずに行ってしまうことが考えられる。
この意図しない操作を電子機器１００が検知して所定の機能を実行してしまうと、操作者の意図しない動作となる可能性が高い。
このような場合を鑑みて、操作位置特定凹部３ａの中央からベース部３ｂに向かって行うスワイプ操作のみを受け付けるように電子機器１００のアプリケーションを構成することにより、誤動作を防止することが可能となる。
【０１４０】
前述では、電子機器１００が何れの電子機器カバー１，１Ａ，１Ｂの保持部２に保持されているかを検知するために、それぞれ配置態様の異なる基準位置特定部１１，１１，・・・を設ける例を説明したが、基準位置特定部１１の配置態様を異ならせる代わりに電子機器カバー１，１Ａ，１Ｂそれぞれに異なるＩＣ（Integrated Circuit）チップを埋め込んでもよい。
その場合には、電子機器１００にＩＣチップの読み込みが可能な機能を設けておき、閉塞状態で電子機器カバー１，１Ａ，１Ｂに設けられたＩＣチップの読み取りを可能としておくことが望ましい。
閉塞状態においてＩＣチップの読み取りを行うことにより、何れの電子機器カバー１，１Ａ，１Ｂが装着されたかを電子機器１００が把握し、電子機器カバー１，１Ａ，１Ｂに応じたアプリケーションを起動することができる。
これにより、操作者は電子機器カバー１，１Ａ，１Ｂを装着して閉塞状態とするだけで、電子機器１００を所定の機能を有した専用の機器と同等に扱うことが可能となる。
また、電子機器カバー１，１Ａ，１ＢにＩＣチップを設けることにより、電子機器カバー１，１Ａ，１Ｂ，１Ｃの類似品が市場に出回ることを抑制することができる。
【０１４１】
ところで、電子機器１００は電子機器カバー１，１Ａ，１Ｂ，１Ｃ，１Ｄの保持部２に保持された状態で走行中の車両内などにおいて触感に頼って操作が行われる場合もある。
このような場合に、電子機器カバー１，１Ａ，１Ｂ，１Ｃ，１Ｄは走行中の車両内における電子機器１００の安定した姿勢を維持するための形状とされていることが望ましい。
このような電子機器カバー１，１Ａ，１Ｂ，１Ｃ，１Ｄの一例を、図３０に示す。
図３０に示す電子機器カバー１Ｅは、土台部１６を有している。
土台部１６の外形は、車内に設置されたドリンクホルダーの内側の形状と同じ形状に形成されている。土台部１６をドリンクホルダーに挿入することにより電子機器１００の姿勢の安定化及び操作性の向上を図ることが可能とされる。
【０１４２】
土台部１６は、保持部２と一体に形成されていてもよいし、保持部２とは別体で形成されていてもよい。
土台部１６が保持部２と別体で形成されている場合には、保持部２から土台部１６に対して着脱可能とされていることが望ましい。
土台部１６が保持部２に対して着脱可能とされていることにより、携行用とされた電子機器カバー１（図２参照）を土台部１６に取り付けて使用することが可能となる。
【０１４３】
＜６．まとめ＞
上記した電子機器カバー１（１Ａ，１Ｂ，１Ｃ，１Ｄ，１Ｅ）は、少なくとも一部が操作領域とされた表示面１００ｂを有する電子機器１００における表示面１００ｂの少なくとも一部を覆う覆い部３を備え、覆い部３は、操作位置を特定するための操作位置特定凹部３ａと、操作位置特定凹部３ａ以外の部分とされたベース部３ｂとを有し、操作位置特定凹部３ａの周縁部５（５Ａ，５Ｂ，５Ｃ）の少なくとも一部がベース部３ｂの厚みよりも薄くされ電子機器１００に特定の機能を実行させるための接触操作がなされる被操作部６（６Ｐ，６Ｑ，６Ｒ，６Ｓ）とされている。
これにより、表示面１００ｂが覆い部３によって覆われた状態で電子機器１００の特定の機能を利用できるため、電子機器カバー１の保持部２に電子機器１００が保持された状態で電子機器１００の保護を図った上で電子機器１００に対する利便性の向上を図ることができる。
また、例えば、指先の触感を頼りに操作位置を探った場合などに、操作位置特定凹部３ａによって操作する場所が特定されやすく、操作者は電子機器１００を視認することなく意図に沿った操作をすることができる。
また、被操作部６の厚みは、ベース部３ｂの厚みよりも薄くされているため、特定の機能を実行するための被操作部６の位置が特定しやすくされる。特に、被操作部６が操作位置特定凹部３ａの周縁部５とされることで、被操作部６の位置の特定が更に容易となる。
従って、操作者は、特定の機能を実行する場合において、該機能を実行するための被操作部６の位置を把握し易い。即ち、操作者は、電子機器１００を視認することなく該機能を実行するための操作を行うことができる。
更に、特許文献１のように、表示面１００ｂを注視せずに意図した入力を可能とするための操作面を表示面１００ｂの周囲に配置しなくても済むため、電子機器１００に対する表示面１００ｂの大型化を図ることができ、電子機器１００を大型にすることなく表示面１００ｂの大型化を図ることができる。
従って、電子機器１００を保護する電子機器カバー１の小型化を図ることができる。
【０１４４】
前述したように、電子機器カバー１は、電子機器１００を保持する保持部２と、保持部２と覆い部３とを連結する連結部４とを備えていてもよい。
これにより、連結部４を介して覆い部３が保持部２に接続されるため、覆い部３の落下を防止することができる。
【０１４５】
前述したように、電子機器カバー１は、連結部４は屈曲が可能とされていてもよい。
連結部４が屈曲することにより、閉塞状態と開放状態を切り換えることができる。即ち、保持部２が電子機器１００を保持した状態において、覆い部３が電子機器１００の表示面１００ｂを覆い特定の機能を実行可能な状態と、覆い部３が表示面１００ｂを覆わずに特定の機能を実行できない状態とを切り換えることが可能となる。
これにより、保持部２に対する覆い部３の開閉によって特定の機能を使用するかどうかを切り換えることが可能となり、保持部２に対する覆い部３の開閉に応じて電子機器１００の２種類の使用態様を使い分けることが可能となる。
【０１４６】
前述したように、電子機器カバー１は、覆い部３が表示面１００ｂの少なくとも一部を覆った状態を保持するためのロック部９を備えていてもよい。
これにより、操作領域を有する表示面１００ｂに対する覆い部３の位置がずれにくくなるため、被操作部６に対して接触操作を行ったときに操作者の意図した特定の機能を確実に実行することができる。
【０１４７】
前述したように、電子機器カバー１の被操作部６は、操作位置特定凹部３ａの内側に近づくにつれて表示面１００ｂ側に変位する傾斜面を有していてもよい。
これにより、操作者が傾斜面に対する接触操作を行った場合に、操作位置の特定を容易に行うことができる。
【０１４８】
上述したように、電子機器カバー１の被操作部６には、第１の機能を実行するために操作される第１被操作部６Ｐと第２の機能を実行するために操作される第２被操作部６Ｑが設けられていてもよい。
これにより、各被操作部６Ｐ，６Ｑに対するそれぞれの接触操作を行うことにより少なくとも二つの異なる機能が実行され、電子機器カバー１の機能性を向上させることができる。
【０１４９】
上記したように、電子機器カバー１の第２被操作部６Ｑは第１被操作部６Ｐを操作位置特定凹部３ａの中央に対して略９０°回転させた位置に設けられていてもよい。
これにより、触感に基づいて第１被操作部６Ｐと第２被操作部６Ｑの位置が特定しやすく、第１の機能と第２の機能を取り違えて実行してしまうことを抑制することができる。
【０１５０】
前述したように、電子機器カバー１の操作位置特定凹部３ａにおける周縁部５の内側の部分は電子機器１００の操作領域に直接接触可能な貫通孔とされていてもよい。
これにより、周縁部５における外周縁５ａと内周縁５ｂの厚みの差が大きくなり、電子機器カバー１の機能性を向上させることができると共に、電子機器カバー１の軽量化を図ることができる。
【０１５１】
また、変形例（特に図２７）で説明したように、電子機器カバー１の操作位置特定凹部３ａは、周縁部５の内側の部分が周縁部５より厚みの薄い平面部１５として設けられていてもよい。
これにより、被操作部６に対する接触操作する際に指先等が表示面１００ｂに直接触れないように構成され、電子機器１００の表示面１００ｂの傷付きを防止することができる。
【０１５２】
位置補正を行うための電子機器カバーの構成において説明したように、ベース部３ｂに対する基準位置として特定される少なくとも三つの基準位置特定部１１が設けられてもよい。
この場合には、基準位置の特定により覆い部３の表示面１００ｂに対する相対的な位置が決定される。
電子機器１００の表示面１００ｂが基準位置特定部１１の接触（或いは接近）を検知することにより、電子機器１００に対する電子機器カバー１の装着がソフトウェアなどにより把握される。
従って、電子機器１００に磁石等を設けなくても済むため、部品点数の削減やコストダウンを図ることができる。そして、上述した各種の電子機器カバー１に対応するために磁石が設けられた専用の電子機器１００を用意しなくて済むため、電子機器カバー１の汎用性を高めることができる。
【０１５３】
前述したように、電子機器カバー１の基準位置特定部１１は表示面１００ｂにおける静電容量を変化させる材料で形成されることが望ましい。
これにより、電子機器１００の表示面１００ｂとして特にタッチパネル式の液晶が用いられた場合には、表示面１００ｂに対する覆い部３の相対的な位置の把握が容易とされる。
従って、操作者が被操作部６に対する操作を行ったことに応じて、対応する特定の機能をより確実に実行することができる。
【０１５４】
図１０や図１１を用いて説明したように、電子機器カバー１の周縁部５のうち操作位置特定凹部３ａの中央部を挟んで反対側の部分がそれぞれ被操作部６とされていてもよい。
これにより、操作者は同一の操作方向によって複数の機能を使い分けることなどが可能となり、複数の機能を容易に使い分けることができる。
【０１５５】
また、周縁部５の全ての部分が被操作部６とされていてもよい。
これにより、一つの操作位置特定凹部３ａに対して複数の機能を割り当てることが可能となり、操作者は触覚によって一つの操作位置特定凹部３ａを探り当てるだけで、多数の機能を実行することができる。
また、周縁部５のどこでも機能を実行することが可能であるため、電子機器カバー１の使い勝手の向上を図ることができる。
【０１５６】
そして、操作方向が被操作面７の傾斜方向とされた接触操作により特定の機能が実行されてもよい。
例えば、斜面を乗り越えるスワイプ操作などにより特定の機能が実行されるため、操作者は斜面を乗り越える感触を知覚することができるため、特定の機能を実行したことを明確に認識することができる。
【０１５７】
更に、接触操作の操作方向に応じて表示面１００ｂに表示された画像の切り替え機能が特定の機能として実行されてもよい。
これにより、操作位置特定凹部３ａにおける接触操作の操作方向と画像が送られる方向とを一致させることが可能となり、直感的な操作が可能とされ操作性の向上を図ることができる。
【０１５８】
尚、本明細書に記載された効果はあくまでも例示であって限定されるものではなく、また他の効果があってもよい。
【０１５９】
＜７．本技術＞
本技術は以下のような構成も採ることができる。
（１）
少なくとも一部が操作領域とされた表示面を有する電子機器における前記表示面の少なくとも一部を覆う覆い部を備え、
前記覆い部は、前記操作領域における操作位置を特定するための操作位置特定凹部と、前記操作位置特定凹部以外の部分とされたベース部とを有し、
前記操作位置特定凹部の周縁部の少なくとも一部が前記ベース部の厚みよりも薄くされ前記電子機器に特定の機能を実行させるための接触操作がなされる被操作部とされた
電子機器カバー。
（２）
前記電子機器を保持する保持部と、
前記保持部と前記覆い部とを連結する連結部とを備えた
（１）に記載の電子機器カバー。
（３）
前記連結部は屈曲が可能とされた
（２）に記載の電子機器カバー。
（４）
前記覆い部が前記表示面の少なくとも一部を覆った状態を保持するためのロック部を備えた
（２）または（３）に記載の電子機器カバー。
（５）
前記被操作部は前記操作位置特定凹部の内側に近づくにつれて前記表示面側に変位する傾斜面を有し、前記傾斜面が被操作面として接触操作される
（１）乃至（４）の何れかに記載の電子機器カバー
（６）
前記被操作部には第１の機能を実行するために操作される第１被操作部と第２の機能を実行するために操作される第２被操作部とが設けられた
（１）乃至（５）の何れかに記載の電子機器カバー。
（７）
前記第２被操作部は前記第１被操作部を前記操作位置特定凹部の中央に対して略９０°回転させた位置に設けられた
（６）に記載の電子機器カバー。
（８）
前記操作位置特定凹部における前記周縁部の内側の部分は前記電子機器の前記操作領域に直接接触可能な貫通孔とされた
（１）乃至（７）の何れかに記載の電子機器カバー。
（９）
前記操作位置特定凹部は前記周縁部の内側の部分が前記周縁部より厚みの薄い平面部として設けられた
（１）乃至（８）の何れかに記載の電子機器カバー。
（１０）
前記ベース部には前記ベース部に対する基準位置として特定される少なくとも三つの基準位置特定部が設けられ、
前記基準位置の特定により前記覆い部の前記表示面に対する相対的な位置が決定される
（１）乃至（９）の何れかに記載の電子機器カバー。
（１１）
前記基準位置特定部は前記表示面における静電容量を変化させる材料で形成された
（１０）に記載の電子機器カバー。
（１２）
前記周縁部のうち前記操作位置特定凹部の中央部を挟んで反対側の部分がそれぞれ前記被操作部とされた
（１）乃至（１１）の何れかに記載の電子機器カバー。
（１３）
前記周縁部の全ての部分が前記被操作部とされた
（１）乃至（１２）の何れかに記載の電子機器カバー。
（１４）
操作方向が前記被操作面の傾斜方向とされた前記接触操作により前記特定の機能が実行される
（５）に記載の電子機器カバー。
（１５）
前記接触操作の操作方向に応じて前記表示面に表示された画像の切り替え機能が前記特定の機能として実行される
（１）乃至（１４）の何れかに記載の電子機器カバー。
【符号の説明】
【０１６０】
１，１Ａ，１Ｂ，１Ｃ，１Ｄ，１Ｅ…電子機器カバー、２…保持部、３…覆い部、３ａ…操作位置特定凹部、３ｂ…ベース部、４…連結部、５，５Ａ，５Ｂ，５Ｃ…周縁部、６…被操作部、６Ｐ…第１被操作部、６Ｑ…第２被操作部、７…被操作面、９…ロック部、１１…基準位置特定部、１５…平面部、ｈ１，ｈ２，ｈ３，ｈ４…貫通孔、１００…電子機器、１００ｂ…表示面
【図１】
2017169638.tif 000003
【図２】
2017169638.tif 000004
【図３】
2017169638.tif 000005
【図４】
2017169638.tif 000006
【図５】
2017169638.tif 000007
【図６】
2017169638.tif 000008
【図７】
2017169638.tif 000009
【図８】
2017169638.tif 000010
【図９】
2017169638.tif 000011
【図１０】
2017169638.tif 000012
【図１１】
2017169638.tif 000013
【図１２】
2017169638.tif 000014
【図１３】
2017169638.tif 000015
【図１４】
2017169638.tif 000016
【図１５】
2017169638.tif 000017
【図１６】
2017169638.tif 000018
【図１７】
2017169638.tif 000019
【図１８】
2017169638.tif 000020
【図１９】
2017169638.tif 000021
【図２０】
2017169638.tif 000022
【図２１】
2017169638.tif 000023
【図２２】
2017169638.tif 000024
【図２３】
2017169638.tif 000025
【図２４】
2017169638.tif 000026
【図２５】
2017169638.tif 000027
【図２６】
2017169638.tif 000028
【図２７】
2017169638.tif 000029
【図２８】
2017169638.tif 000030
【図２９】
2017169638.tif 000031
【図３０】
2017169638.tif 000032
【国際調査報告】
2017169638.tif 000033
2017169638.tif 000034
2017169638.tif 000035
2017169638.tif 000036